(57)【要約】【課題】捕虫器において、簡便な構造でありながら、経済的で機器の性能が劣化することがないようにする。【解決手段】捕虫器１は、虫２を誘引する光源３と、光源３が取り付けられる誘虫ボックス４と、誘虫ボックス４と連通され虫２を収容する捕虫ボックス５と、誘虫ボックス４内に居る虫２を捕虫ボックス５内に吸引するファン６とを備える。また、捕虫器１は、誘虫ボックス４内に居る虫２の個体数又は該個体の大きさを検知する検知部としての撮像手段９と、検知部の検知結果に応じてファン６の回転数を制御する制御部１０とを備える。誘虫ボックス４内に居る虫２の状況に応じて、ファン６を最適に回転制御することにより、光源３に誘引され誘虫ボックス４内に入った虫を効率的に吸引し、捕虫ボックス内５に収容する。【選択図】図２
2010099013.tif 000002
【特許請求の範囲】
【請求項１】
虫を誘引する誘虫源を有し、虫を捕獲する捕虫器において、
前記誘虫源が取り付けられる誘虫ボックスと、
前記誘虫ボックスと連通され、虫を収容する捕虫ボックスと、
前記捕虫ボックス内を減圧することにより、前記誘虫ボックス内に居る虫を前記捕虫ボックス内に吸引するファンと、
前記誘虫ボックス内に居る虫の個体数又は該個体の大きさを検知する検知部と、
前記検知部の検知結果に応じて前記ファンの回転数を制御する制御部と、を備えたことを特徴とする捕虫器。
【請求項２】
前記捕虫ボックスの前側に設けられ、前記誘虫源により誘引された虫が誘虫ボックス側から捕虫ボックス側に通過し易くする開口を有した壁部材と、
前記壁部材を振動させる振動機構と、を備え、
前記振動機構は、前記ファンの回転数が前記制御部により制御された後に、前記壁部材の振動を開始することを特徴とする請求項１に記載の捕虫器。
【請求項３】
前記検知部は、前記壁部材を含む範囲を撮像する撮像手段を有し、
前記制御部は、前記撮像手段により取得される画像データに基づき、前記壁部材に居る虫の個体数又は該個体の大きさを演算することを特徴とする請求項１又は請求項２に記載の捕虫器。
【請求項４】
前記検知部は、前記壁部材に配置された虫検知用の電線と、前記電線の抵抗を測定する測定手段とを有し、
前記制御部は、前記測定手段により取得される抵抗データに基づき、前記壁部材に居る虫の個体数又は該個体の大きさを演算することを特徴とする請求項１又は請求項２に記載の捕虫器。
【発明の詳細な説明】
【技術分野】
【０００１】
本発明は、誘虫源に誘引された虫を捕獲する捕虫器に関する。
【背景技術】
【０００２】
従来から、この種の捕虫器として、虫を誘引する光を出射する誘虫ランプと、誘虫ランプが取り付けられ虫を収容する捕虫ボックスと、誘虫ランプにより誘引された虫を捕虫ボックス内に吸引する吸引装置とを備えたものが知られている（例えば、特許文献１参照）。ここで、吸引装置の多くは、ファンを有しており、ファンの回転により捕虫ボックス内を減圧して虫を吸引するようにしている。
【０００３】
ところで、上述のような吸引式の捕虫器においては、一般に、誘虫ランプに誘引される虫の数や大きさに関係なく、吸引装置を常時一定出力で運転して虫の吸引を行っている。そのため、ファンの稼働時間が多くなり、動作不良や故障の原因となると共に、無駄な電力を消費して不経済である。また、このような問題に対して吸引装置の機械的構成を改良した場合、構造が複雑化され、機器サイズが大きくなったり重量が重くなる。
【特許文献１】特開平１１−１２７７５２号公報
【発明の開示】
【発明が解決しようとする課題】
【０００４】
本発明は、上記問題を解決するためになされたものであり、簡便な構造でありながら、経済的で機器の性能が劣化することがない捕虫器を提供することを目的とする。
【課題を解決するための手段】
【０００５】
上記目的を達成するために請求項１の発明は、虫を誘引する誘虫源を有し、虫を捕獲する捕虫器において、前記誘虫源が取り付けられる誘虫ボックスと、前記誘虫ボックスと連通され、虫を収容する捕虫ボックスと、前記捕虫ボックス内を減圧することにより、前記誘虫ボックス内に居る虫を前記捕虫ボックス内に吸引するファンと、前記誘虫ボックス内に居る虫の個体数又は該個体の大きさを検知する検知部と、前記検知部の検知結果に応じて前記ファンの回転数を制御する制御部と、を備えたものである。
【０００６】
請求項２の発明は、請求項１に記載の発明において、前記捕虫ボックスの前側に設けられ、前記誘虫源により誘引された虫が誘虫ボックス側から捕虫ボックス側に通過し易くする開口を有した壁部材と、前記壁部材を振動させる振動機構と、を備え、前記振動機構は、前記ファンの回転数が前記制御部により制御された後に、前記壁部材の振動を開始するものである。
【０００７】
請求項３の発明は、請求項１又は請求項２に記載の発明において、前記検知部は、前記壁部材を含む範囲を撮像する撮像手段を有し、前記制御部は、前記撮像手段により取得される画像データに基づき、前記壁部材に居る虫の個体数又は該個体の大きさを演算するものである。
【０００８】
請求項４の発明は、請求項１又は請求項２に記載の発明において、前記検知部は、前記壁部材に配置された虫検知用の電線と、前記電線の抵抗を測定する測定手段とを有し、前記制御部は、前記測定手段により取得される抵抗データに基づき、前記壁部材に居る虫の個体数又は該個体の大きさを演算するものである。
【発明の効果】
【０００９】
請求項１の発明によれば、誘虫ボックス内に居る虫の状況に応じて、ファンを最適に回転制御できるので、誘虫源に誘引され誘虫ボックス内に入った虫を効率的に吸引し、捕虫ボックス内に収容することが可能となる。そのため、ファンの稼働時間や回転出力を低減して、ファンの故障を防止できると共に省エネルギ化を図れる。また、ファンの機械的構成を改良する必要がなく、汎用性のある安価なファンを本器に用いることできる。
【００１０】
請求項２の発明によれば、誘虫源により誘引された虫を、壁部材の開口を通して効果的に吸引できる。また、ファンが回転した後に壁部材が振動するので、誘虫源に誘引されて壁部材に付着した虫を離脱させ、開口から捕虫ボックス内に吸引することができる。
【００１１】
請求項３の発明によれば、撮像手段による画像データに基づき、壁部材に居る虫の個体数又は該個体の大きさを演算するので、誘虫ボックス内に居る虫の状況に的確に把握することができる。
【００１２】
請求項４の発明によれば、誘虫ボックス内の居る虫の状況に的確に把握できる。また、壁部材に居る虫の個体数又は該個体の大きさを取得する際に、カメラのような別装置を用いる必要がないので、本器の外観設計を殆ど変更することなく、既存のサイズを維持できる。
【発明を実施するための最良の形態】
【００１３】
（第１の実施形態）
本発明の第１の実施形態に係る捕虫器について図１及び図２を参照して説明する。図１、図２は本実施形態に係る捕虫器１の構成を示す。捕虫器１は、ハエや蚊等の飛翔性を持つ害虫を誘引し、これら虫を捕獲するものであって、虫の多い屋外空間や、屋外空間に面した建物内の空間等に設置される。捕虫器１は、虫２を誘引する誘虫源である捕虫用の光源３と、光源３が取り付けられる誘虫ボックス４と、誘虫ボックス４と連通され虫２を収容する捕虫ボックス５と、誘虫ボックス４内に居る虫２を捕虫ボックス５内に吸引するファン６とを備える。ここで、本実施形態においては、誘虫ボックス４と捕虫ボックス５とが１つの箱状部材により一体的に構成されており、双方のボックス４及び５内は壁部材７により仕切られている。壁部材７は、ファン６により吸引される虫２が通過するスリット状の開口７１を有している。また、捕虫器１は、壁部材７を振動させる振動機構８と、誘虫ボックス４内に居る虫２の個体数又は該個体の大きさを検知する検知部としての撮像手段９と、検知部の検知結果に応じてファン６の回転数を制御する制御部１０とを備える。
【００１４】
光源３は、紫外線を含有する光を出射する直管形状のランプであり、誘虫ボックス４の両側内壁に縦向きにして設けられている。光源３の出射光に含まれる紫外線は、虫の走光曲線又は視感度曲線に基づいて設定されたＵＶ―Ａ（波長が３１５ｎｍ〜３８０ｎｍ）であり、高い誘虫効果を有している。光源３の種類は特に限定されるものでなく、例えば、蛍光ランプや冷陰極ランプ、水銀ランプ、キセノンランプ、高圧ナトリウムランプ、メタルハライドランプ、ＬＥＤ、有機ＥＬ等が挙げられる。光源３の前方は、遮光板３１で覆われており、捕虫器１に近寄ってくる虫２からは光源３が直接見えないようにして、光源３に虫２が集まるのを防止している。
【００１５】
誘虫ボックス４は、光源３により誘引された虫２が侵入できるように、前側が開口した開空間とされている。捕虫ボックス５は、誘虫ボックス４の後方に配置され、収容した虫２が逃げ出さないよう閉空間とされている。捕虫ボックス５は、収容した虫２を排出するための開閉自在な扉５１を有している。誘虫ボックス４及び捕虫ボックス５は、例えば、板金やアクリル板等を用いて形成される。
【００１６】
ファン６は、捕虫ボックス５の後端に形成された取付窓５２に設けられており、モータにより回転駆動されるハブ６１と、ハブ６１に連接された複数の羽根６２とを有している。ファン６は、捕虫ボックス５内の空気を取付窓５２から排出し、捕虫ボックス５内を減圧することにより、壁部材７の開口７１から虫２を吸引するようになっている。ファン６の前方には、フィルタ６３が設けられており、ファン６内に虫２が侵入するのを防止している。ファン６は、壁部材７に虫２が居ない場合には、基本的に停止状態となる。
【００１７】
壁部材７は、誘虫ボックス４側の表面に紫外線及び可視光を反射する特性を有しており、これにより、光源３の出射光が壁部材７で反射されて捕虫器１の前方から出力され、虫２が壁部材７に集まるようになっている。ここで、壁部材７に集まった虫２は、壁部材７にしがみついたり、壁部材７を徘徊する。壁部材７の開口７１は、該部材７の上下方向に複数形成されており、誘虫ボックス４側から捕虫ボックス５側に向けて開口幅が漸減するテーパ形状とされている。誘虫ボックス４側の開口幅は、虫２が容易に通過する寸法に設定され、捕虫ボックス５側の開口幅は、虫２の腹幅と同程度の寸法に設定される。例えば、捕虫器１の捕虫対象をイエバエ、ユスリカとする場合、誘虫ボックス４側の開口幅は５ｍｍより大きく、捕虫ボックス５側の開口幅は５ｍｍ以下が望ましい。これにより、光源３により誘引された虫２が、誘虫ボックス４側から捕虫ボックス５側に通過し易くなり、併せて、捕虫ボックス５に収容された虫２が、開口７１を通って逃げ出し難くなる。
【００１８】
振動機構８は、ファン６の回転数が制御部１０により制御された後に、壁部材７の振動を開始することにより、壁部材７に付着した虫２を離脱させ、開口７１から吸引し易くするものである。振動機構８は、例えば、携帯電話等で使用される小型の振動モータ等で構成される。撮像手段９は、壁部材７を含む範囲を撮像するカメラであり、壁部材７の誘虫ボックス４側に集まった虫２の状況を常時監視し、撮像した画像データを検知結果として制御部１０に送信する。
【００１９】
制御部１０は、撮像手段９から送信される画像データに基づき、壁部材７に居る虫２の個体数又は該個体の大きさを演算する。具体的には、送信される画像データと事前に取得した背景画像データとの差分処理を行って背景除去された虫画像データを抽出し、この虫画像データの画素面積等を解析して、壁部材７に居る虫２の個体数又は該個体の大きさを演算結果として取得する。ここで、背景画像データとは、壁部材７を虫２が居ない状態で撮像したものである。
【００２０】
制御部１０は、虫の個体数又は該個体の大きさ毎に最適なファン６の回転数をテーブル化した回転制御用のデータベースを、内蔵のメモリに記憶している。制御部１０は、記憶したデータベースを参照して上記演算結果に対応するファン６の回転数を選択し、選択したデータからファン６に供給する電圧レベルを決定する。データベースに設定される回転数データは、壁部材７の開口７１から虫２を効率的に吸引可能な単位時間当りの回転速度である。具体的に、虫の個体数又は該個体の大きさの値が大きいときには、回転数データは大きい値とされ、虫の個体数又は該個体の大きさの数値が小さいときには、回転数データは小さい値とされる。
【００２１】
上記のように構成された捕虫器１の作用について説明する。捕虫器１の電源が投入されると、光源３が点灯し、光源３の出射光は壁部材７で反射されて誘虫ボックス４の前方から出力される。捕虫器１周辺に居る虫２は、上記光に誘引されて誘虫ボックス４内に侵入し、壁部材７に集まってくる。撮像手段９は、光源３の点灯と同時に壁部材７の撮像を開始し、撮像した画像データを制御部１０に送信する。上記画像データの送信は、連続的であっても、一定間隔毎であってもかまわない。制御部１０は、撮像手段９から送信される画像データに基づき、虫の個体数と該個体の大きさを算出し、上記演算結果に対応する回転数でファン６を回転させる。
【００２２】
ファン６が回転すると、捕虫ボックス５内に負圧が発生し、壁部材７に集まった虫２のうち、壁部材７を徘徊する虫は、開口７１から吸引されて捕虫ボックス５内に収容される。また、ファン６の回転に伴って壁部材７が振動し、壁部材７に集まった虫２のうち、壁部材７にしがみついている虫についても、同様に捕虫ボックス５内に収容される。捕虫ボックス５内に収容された虫２は、餌や水不足によって死滅し、ユーザにより扉５１から定期的に排出される。ここで、捕虫ボックス５内は風通しがよく、虫２が乾燥しやすい環境となっているので、死滅した虫２が腐敗することがない。
【００２３】
以上、本実施形態に係る捕虫器１によれば、誘虫ボックス４内に居る虫２の状況に応じて、ファン６を最適に回転制御できるので、光源３に誘引され誘虫ボックス４内に入った虫２を効率的に吸引し、捕虫ボックス５内に収容することが可能となる。そのため、ファン６の稼働時間や回転出力を低減して、ファン６の故障を防止できると共に省エネルギ化を図れる。また、ファン６の機械的構成を改良する必要がなく、汎用性のある安価なファン６を捕虫器１に用いることできる。また、壁部材７の開口７１は、誘虫ボックス４側から捕虫ボックス５側に虫２が通過し易くする形状とされているので、光源３により誘引された虫２を、壁部材７の開口７１を通して効果的に吸引できる。また、ファン６が回転した後に壁部材７が振動するので、壁部材７に付着した虫２を離脱させ、開口７１から捕虫ボックス５内に吸引することができる。また、撮像手段９による画像データに基づき、壁部材７に居る虫２の個体数又は該個体の大きさを演算するので、誘虫ボックス４内に居る虫２の状況に的確に把握することができる。
【００２４】
次に、第１の実施形態の捕虫器１における種々の変形例を図３及び図４を参照して説明する。図３に示す捕虫器１の壁部材７は、透光板により形成されており、この板の後方に光源３が設けられている。これにより、光源３の出射光が壁部材７を透過して捕虫器１の前方から出力され、虫２が壁部材７に集まるようになる。図４に示す捕虫器１の壁部材７は、導光板により形成されており、この板の両側端に光源３が設けられている。光源３の前方は、虫２が光源３に集まらないように遮光板３１で覆われている。これにより、光源３の出射光が壁部材７内に導光され、壁部材７そのものが発光しているようになり、虫２が壁部材７に集まるようになる。
【００２５】
（第２の実施形態）
本発明の第２の実施形態に係る捕虫器について図５及び図６を参照して説明する。図５、図６は本実施形態に係る捕虫器１の構成を示す。捕虫器１の検知部は、壁部材７に配置された虫検知用の電線１１と、電線１１の抵抗を測定する測定手段１２とで構成される。電線１１は、導体が絶縁被覆されていない裸電線であって、アース側となる線１１ａと、プラス極側又はマイナス極側となる１１ｂ線とを有しており、互いの線１１ａ、１１ｂが隣り合うよう開口７１の斜面部に複数配されている。線１１ａと線１１ｂとの間隔は、捕虫器１の捕虫対象とする虫の幅と同程度、又はそれ以下に設定される。例えば、イエバエ、ユスリカを対象とする場合、上記間隔は５ｍｍ以下とする。線１２ｂには、プラス又はマイナス電荷の微弱な電流が流れており、壁部材７に集まってきた虫２が、隣り合う線１１ａ及び線１１ｂに同時に触れると、その虫２の個体数や該個体の大きさに応じて電線１１全体の抵抗値が変化する。測定手段１２は、電線１１に流れる電流値をモニタリングすることにより電線１１の抵抗を測定するものであり、測定した抵抗データを制御部１０に送信する。
【００２６】
制御部１０は、測定手段１２から送信される抵抗データに基づき、壁部材７に居る虫２の個体数又は該個体の大きさを演算する。具体的には、メモリに予め記憶される、虫の個体数又は該個体の大きさと電線１１の抵抗値との関数データを参照し、測定された抵抗データに対応する虫の個体数又は該個体の大きさを演算結果として取得する。その他の構成については、第１の実施形態と同様である。また、上述の図３及び図４に示す構成が、本実施形態の壁部材７及び光源３の変形例として適用できることは言うまでもない。なお、上記のような構成の場合、壁部材７に居る虫２の個体数又は該個体の大きさは、隣り合う線８２ａ及び線８２ｂで構成された電線エリア毎に算出される。そのため、虫の個体数又は該個体の大きさをより詳細に検知するためには、組となる電線エリアを細分化して多数設置することが望ましい。
【００２７】
以上、本実施形態の捕虫器１においても、第１の実施形態と同様の効果が得られる。また、誘虫ボックス４内の居る虫２の状況に的確に把握できる。また、壁部材７に居る虫２の個体数又は該個体の大きさを取得する際に、カメラのような別装置を用いる必要がないので、捕虫器１の外観設計を殆ど変更することなく、既存の機器サイズを維持できる。
【００２８】
なお、本発明は、上記各種実施形態の構成に限られず、発明の趣旨を変更しない範囲で種々の変形が可能である。例えば、上述の実施形態では誘虫源として光源３を用いた例を示したが、これに限られず、誘虫効果のある匂い源や音源等を用いてもよい。匂い源としては、捕獲する虫の性フェロモンや集合フェロモン、虫の餌となる動植物抽出物、これらに類似する匂いを有するもの等が挙げられる。音源としては、虫の羽ばたき音のような超音波成分を含んだ音を発するものが挙げられる。
【図面の簡単な説明】
【００２９】
【図１】本発明の第１の実施形態に係る捕虫器の斜視図。
【図２】（ａ）は上記捕虫器の正面図、（ｂ）は同捕虫器の側断面図。
【図３】（ａ）は上記捕虫器の変形例を示す斜視図。
【図４】（ａ）は上記捕虫器の他の変形例を示す斜視図。
【図５】本発明の第２の実施形態に係る捕虫器の斜視図。
【図６】（ａ）は上記捕虫器の正面図、（ｂ）は同捕虫器の側断面図。
【符号の説明】
【００３０】
１  捕虫器
２  虫
３  光源（誘虫源）
４  誘虫ボックス
５  捕虫ボックス
６  ファン
７  壁部材
７１  開口
８  振動機構
９  撮像手段（検知部）
１０  制御部
１１  電線（検知部）
１２  測定手段（検知部）
【図１】
2010099013.tif 000003
【図２】
2010099013.tif 000004
【図３】
2010099013.tif 000005
【図４】
2010099013.tif 000006
【図５】
2010099013.tif 000007
【図６】
2010099013.tif 000008